(57)【要約】【課題】厚みを極力薄くしつつ、操作者がスイッチ操作を実感でき、しかも、高い耐久性が得られる操作パネルを提供する。【解決手段】表面が曲面である基材２と、基材２の表面に配置された回路部１０と、回路部１０が配置された基材２の表面側を覆い、表面が曲面であるキートップパネル３とを備えた操作パネル１であって、回路部１０は、基材２に直接形成されたスイッチ回路用導電パターン１１と、基材２上に設けられ、キートップパネル３のキートップ４の下方に配置されたスイッチ素子１２とを有する。【選択図】図２
2018137095.tif 000002
【特許請求の範囲】
【請求項１】
表面が曲面である基材と、前記基材の表面に配置された回路部と、前記回路部が配置された前記基材の表面側を覆い、表面が曲面であるキートップパネルとを備えた操作パネルであって、
前記回路部は、前記基材に直接形成されたスイッチ回路用導電パターンと、前記基材上に設けられ、前記キートップパネルのキートップの下方に配置されたスイッチ素子とを有することを特徴とする操作パネル。
【請求項２】
請求項１記載の操作パネルであって、
前記基材の表面には凹部が設けられ、前記凹部に前記スイッチ回路用導電パターンが配置されていることを特徴とする操作パネル。
【請求項３】
請求項１又は請求項２記載の操作パネルであって、
前記スイッチ素子は、複数個であり、
前記基材には、複数の前記スイッチ回路用導電パターンと単一のコネクタとの間を接続する配線用導電パターンが形成されていることを特徴とする操作パネル。
【発明の詳細な説明】
【技術分野】
【０００１】
本発明は、表面が曲面である操作パネルに関する。
【背景技術】
【０００２】
車両のインストルメントパネル、ドアパネル等の表面形状は、デザイン性、安全性より滑らかな曲面（三次元形状）となっている。このような曲面のパネルに取付ける従来の操作パネルとして、特許文献１に開示されたものがある。
【０００３】
この操作パネル５０は、図６及び図７に示すように、表面が湾曲（曲面）し、センサ基板５１と支持基材５２と湾曲板部５３の三層構造である。センサ基板５１の表面には、回路部６０が設けられている。回路部６０は、センサ基板５１に直接に形成された導電パターン６１により形成されている。導電パターン６１は、センサ基板５１の２つの突部５１ａにそれぞれ形成されたコイル状のタッチ検出電極部６１ａと、タッチ検出電極部６１ａとコネクタ６２との間を接続する配線用導電パターン部６１ｂとを有する。
【０００４】
支持基材５２には、センサ基板５１の突部５１ａが入り込む溝５２ａが形成されている。湾曲板部５３には、溝５２ａを被う箇所に突状の操作部５３ａが設けられている。
【０００５】
操作者が湾曲板部５３の操作部５３ａに触れると、静電容量の変化によって電流が流れ、スイッチ操作が検出される。
【０００６】
前記従来例によれば、回路部６０を全て導電パターン６１によって形成するため、厚みの薄い操作パネル５０となる。
【先行技術文献】
【特許文献】
【０００７】
【特許文献１】特開２０１５−３５３８０号公報
【発明の概要】
【発明が解決しようとする課題】
【０００８】
しかしながら、前記従来の操作パネル５０では、操作者が湾曲板部５３の操作部５３ａに触れることでスイッチ操作するため、操作者にはクリック感がなく、操作の有無を実感しにくいという問題があった。又、操作者がクリック感を得られないことから、操作者が湾曲板部５３の操作部５３ａを必要以上に強く押下することがある。すると、導電パターン６１のタッチ検出電極部６１ａが強い押下力（ダメージ）を受け、高い耐久性が得られないという問題があった。
【０００９】
そこで、本発明は、前記した課題を解決すべくなされたものであり、厚みを極力薄くしつつ、操作者がスイッチ操作を実感でき、しかも、高い耐久性が得られる操作パネルを提供することを目的とする。
【課題を解決するための手段】
【００１０】
本発明は、表面が曲面である基材と、前記基材の表面に配置された回路部と、前記回路部が配置された前記基材の表面側を覆い、表面が曲面であるキートップパネルとを備えた操作パネルであって、前記回路部は、前記基材上に直接形成されたスイッチ回路用導電パターンと、前記基材２上に設けられ、前記キートップパネルのキートップの下方に配置されたスイッチ素子とを有することを特徴とする操作パネルである。
【発明の効果】
【００１１】
本発明によれば、回路部は、基材に直接形成する導電パターンを用いているため、操作パネルの厚みを極力薄くできる。操作者がキートップを操作し、スイッチ素子を押下するため、スイッチ操作を実感できる。導電パターン自体に押下力が作用しないため、高い耐久性が得られる。以上より、操作パネルは、厚みを極力薄くしつつ、操作者がスイッチ操作を実感でき、しかも、高い耐久性が得られる。
【図面の簡単な説明】
【００１２】
【図１】本発明の一実施形態を示し、操作パネルの表面図である。
【図２】本発明の一実施形態を示し、（ａ）は操作パネルの分解斜視図、（ｂ）は、（ａ）のＢ部拡大図である。
【図３】本発明の一実施形態を示し、操作パネルの裏面側を見た斜視図である。
【図４】本発明の一実施形態を示し、図１のＡ−Ａ線断面図である。
【図５】本発明の一実施形態を示し、図２（ｂ）のＣ−Ｃ線断面図である。
【図６】従来例を示し、操作パネルの断面図である。
【図７】従来例を示し、センサ基板の表面図である。
【発明を実施するための形態】
【００１３】
以下、本発明の一実施形態を図面に基づいて説明する。
【００１４】
図１〜図５は本発明の一実施形態を示す。操作パネル１は、基材２と、基材２の表面に配置された回路部１０と、回路部１０が配置された基材２の表面側を覆うキートップパネル３と、基材２の裏面に取付けられた単一のコネクタ５とを備えている。
【００１５】
基材２は、その表面が湾曲状の曲面に形成されている。基材２の表面側及び裏面側には、所望の導電パターンに対応する溝２ａが形成されている。操作パネル１は、基材２を介して車両パネル（図示せず）に取付けされる。
【００１６】
回路部１０は、図２（ｂ）に詳細に示すように、基材２に直接形成された複数のスイッチ回路用導電パターン１１と、基材２上で、且つ、各スイッチ回路用導電パターン１１上に実装された複数のスイッチ素子１２と、基材２上で、且つ、各スイッチ回路用導電パターン１１上に実装された複数の電子部品１３とを有する。
【００１７】
各スイッチ回路用導電パターン１１は、基材２の表面側に形成されている。
【００１８】
基材２の裏面側には、図３に示すように、各スイッチ回路用導電パターン１１と単一のコネクタ５との間を接続する配線用導電パターン１４が形成されている。コネクタ５は、外部接続用である。コネクタ５には、ワイヤーハーネスの幹線から分岐された相手コネクタ（図示せず）が接続される。
【００１９】
各導電パターン１１，１４は、図５に示すように、基材２の溝２ａに配置されることによって基材２に直接形成されている。各導電パターン１１，１４は、印刷、蒸着、回路成形部品（ＭＩＤ）、ディスペンサ（塗布）等によって形成される。例えば、印刷による導電パターン１１，１４は、溝２ａ内に導電性インクを吹き付けたり、溝２ａ内に導電性インクや導電性ペーストを塗布したりして形成する。
【００２０】
各スイッチ素子１２は、押下部１２ａを有し、この押下部１２ａの押下動作、戻り動作によってスイッチのオン操作又はオフ操作がなされる。
【００２１】
キートップパネル３は、その表面が基材２の表面の曲面に倣う曲面に形成されている。つまり、操作パネル１は、その表面が曲面である。キートップパネル３には、複数の孔３ａがそれぞれ形成されている。この各孔３ａにキートップ４がそれぞれ取付けられている。各キートップ４は、キートップパネル３に対して押下方向・戻り方向に変位自在で、且つ、脱落しないように取付けられている。各キートップ４は、各スイッチ素子１２の上方にそれぞれ配置されている。
【００２２】
上記構成において、操作者がキートップ４を押下すると、キートップ４の押下に追従してスイッチ素子１２の押下部１２ａが押下される。これにより、スイッチ素子１２がオン操作又はオフ操作される。
【００２３】
この実施形態では、回路部１０は、基材２に直接に形成する導電パターン（スイッチ回路用導電パターン１１）を用いているため、操作パネル１の厚みを極力薄くできる。操作者がキートップ４を操作し、スイッチ素子１２を押下するため、クリック感があり、スイッチ操作を実感できる。スイッチ回路用導電パターン１１自体に押下力が作用しないため、高い耐久性が得られる。以上より、操作パネル１は、厚みを極力薄くしつつ、操作者がスイッチ操作を実感でき、しかも、高い耐久性が得られる。
【００２４】
導電パターン１１，１４は、基材２の溝２ａに配置するため、操作パネル１の更なる薄型化が可能である。又、導電パターン１１，１４の短絡防止、断線防止にも寄与する。
【００２５】
操作パネル１は、図４に示すように、側面から見て概略円弧状であるため、操作パネル１の裏面側にスペースＳが形成される。このスペースＳを他部品（他のコネクタ、ワイヤーハーネス等）の設置として利用できる。
【符号の説明】
【００２６】
１  操作パネル
２  基材
３  キートップパネル
４  キートップ
１０  回路部
１１  スイッチ回路用導電パターン
１２  スイッチ素子
１４  配線用導電パターン
【図１】
2018137095.tif 000003
【図２】
2018137095.tif 000004
【図３】
2018137095.tif 000005
【図４】
2018137095.tif 000006
【図５】
2018137095.tif 000007
【図６】
2018137095.tif 000008
【図７】
2018137095.tif 000009